(57)【特許請求の範囲】
【請求項１】
ペットが排泄を行う側の面である排泄面側に配置される液透過性の表面シートと、液不透過性の裏面シートと、前記表面シートと前記裏面シートとの間に設けられる吸収体とを備えるペット用吸収性シートであって、
前記排泄面側から視認可能であり、平面視における範囲が前記吸収体と重なる重畳領域を含む有色領域と、前記有色領域内に配置される複数の種類の図柄とを有し、
前記有色領域と前記複数の種類の図柄とは、それぞれ異なる色を有し、
前記排泄面側から視認可能な色が３色以上であり、
前記表面シートは、前記吸収体よりも外側に広がっており、
前記図柄は、前記表面シートに設けられており、
前記図柄は、前記重畳領域内にのみ配置され、
前記図柄のうち少なくともいずれかが前記重畳領域を形成する各辺において途切れている、ペット用吸収性シート。
【請求項２】
前記複数の種類の図柄のうち最も大きい種類の図柄において、前記最も大きい種類の図柄の両端を結んだ最も長い線分の長さが２０ｍｍ以上である請求項１に記載のペット用吸収性シート。
【請求項３】
前記複数の種類の図柄のそれぞれは、異なる大きさである請求項１又は２に記載のペット用吸収性シート。
【請求項４】
前記複数の種類の図柄は、前記有色領域内に不規則に配置される請求項１乃至３のいずれか一項に記載のペット用吸収性シート。
【請求項５】
前記複数の種類の図柄の少なくとも１つにおいて、平面視における内側の色が、前記有色領域の色と同じであり、かつ、内側に他の図柄が存在する請求項１乃至４のいずれか一項に記載のペット用吸収性シート。
【請求項６】
前記有色領域は、前記重畳領域と同じ範囲に設けられ、
前記裏面シートは、平面視において前記有色領域よりも外側に延出しており、
前記有色領域の色は、前記裏面シートの色と異なる請求項１乃至５のいずれか一項に記
載のペット用吸収性シート。
【請求項７】
前記図柄は、前記表面シート及び前記吸収体を覆うシートの前記排泄面側のうちいずれかに表示され、
前記有色領域は、前記表面シート及び前記吸収体を覆うシートの前記排泄面側のうちいずれかに設けられる請求項１乃至６のいずれか一項に記載のペット用吸収性シート。
【発明の詳細な説明】
【技術分野】
【０００１】
本発明は、ペット用吸収性シートに関する。
【背景技術】
【０００２】
従来、特に、室内で飼育される犬や猫等のペットの排泄物（特に、尿）の処理に用いられるペット用吸収性シートがある。ここで、ペット用吸収性シートの使用者にとって好ましい芳香性を有する香料成分が付着され、かつ、香料成分の香りを想起可能な色や図柄や文字のうちの１以上からなる想起情報が表面シート側から視認可能であるペット用吸収性シートが知られている（特許文献１参照）。
【０００３】
具体的には、特許文献１に記載のペット用吸収性シートにおいて、かかる想起情報が色のみの場合、かかるペット用吸収性シートは、香りを想起可能な色として定められた単色が視認される構成となる。また、特許文献１に記載のペット用吸収性シートにおいて、かかる想起情報が図柄及び色の場合、かかるペット用吸収性シートは、香りを想起可能な色として定められた単色の図柄が視認される構成となる。
【０００４】
ところで、ペット用吸収性シートにおいて、ペットにより排泄された尿の跡が目立ってしまうと、使用者は不快に感じてしまったり、その結果、ペット用吸収性シートに尿の跡のない未使用の部分があるにも関わらず新たなペット用吸収性シートに交換したりする。
【０００５】
ここで、特許文献１に開示されているペット用吸収性シートにおいて排泄された尿の跡は、例えば、ペット用吸収性シートにおいて表面シート側から視認可能な色がない場合（表面シート側の色が白色の場合）や表面シート側から視認可能な色がなくかつ図柄が表示されている場合に比べて目立ちにくい。
【先行技術文献】
【特許文献】
【０００６】
【特許文献１】特開２０１３−２４７９２２号公報
【発明の概要】
【発明が解決しようとする課題】
【０００７】
しかしながら、特許文献１に開示されたペット用吸収性シートにおいて、香りを想起可能な色として定められた色が尿と紛れづらい色である場合や、複数の尿の跡が残っている場合、尿の跡が目立ってしまうおそれがある。
【０００８】
そこで、本発明は、上述の課題に鑑みてなされたものであり、排泄された尿の跡を目立ちにくくし、使用者の不快感を軽減するペット用吸収性シートを提供することを目的とする。
【課題を解決するための手段】
【０００９】
本発明の第１の特徴は、ペットが排泄を行う側の面である排泄面１Ａ側に配置される液透過性の表面シート１１０と、液不透過性の裏面シート１５０と、表面シート１１０と裏面シート１５０との間に設けられる吸収体１４０とを備えるペット用吸収性シートであって、排泄面１Ａ側から視認可能であり平面視における範囲が少なくとも吸収体１４０と重なる重畳領域１２を含む有色領域１０と、有色領域１０内に配置される複数の種類の図柄１１とを有し、有色領域１０と複数の種類の図柄１１とは、それぞれ異なる色を有し、排泄面１Ａ側から視認可能な色が３色以上であることを要旨とする。
【発明の効果】
【００１０】
本発明によれば、排泄された尿の跡を目立ちにくくし、使用者の不快感を軽減するペット用吸収性シートを提供することができる。
【図面の簡単な説明】
【００１１】
【図１】本発明の実施形態におけるペット用吸収性シートの一例を示す斜視図である。
【図２】本発明の実施形態におけるペット用吸収性シートの断面図である。
【図３】本発明の実施形態におけるペット用吸収性シートの他の例を示す斜視図である。
【図４】本発明の実施形態の第１の変形例におけるペット用吸収性シートの断面図である。
【図５】本発明の実施形態の第２の変形例におけるペット用吸収性シートの断面図である。
【図６】本発明の実施形態の第３の変形例におけるペット用吸収性シートの断面図である。
【図７】本発明の実施形態におけるペット用吸収性シートの図柄を説明するための図である。
【発明を実施するための形態】
【００１２】
以下、図面を用いて本発明の実施形態（以下、本実施形態という）におけるペット用吸収性シートを説明する。
【００１３】
本実施形態におけるペットは、脊椎動物（哺乳類、爬虫類、鳥類、両性類）や無脊椎動物を含むが、具体的には、犬、猫、うさぎ又はハムスター等といった愛玩動物である。
【００１４】
（本実施形態）
本実施形態におけるペット用吸収性シートを図１及び図２に基づき説明する。
【００１５】
図１は、本実施形態におけるペット用吸収性シート１の一例を示す斜視図である。図２は、本実施形態におけるペット用吸収性シート１の断面図である。なお、図２は、図１に示すペット用吸収性シート１の長手方向Ｌの平行線における断面図である。
【００１６】
本実施形態におけるペット用吸収性シート１は、表面シート１１０と、裏面シート１５０と、ティッシュ１３０と、吸収体１４０と、を有する。 
【００１７】
また、ペット用吸収性シート１は、有色領域１０、図柄（図形）１１及び重畳領域１２を有する。
【００１８】
本実施形態におけるペット用吸収性シート１は、所定の厚みを有する平板状のシートであり、平坦状に広げられて、裏面シート１５０が載置箇所に載置された状態で、表面シート１１０がペットにより排泄される尿を受ける状態で使用される。ペット用吸収性シート１において排泄された尿は、表面シート１１０を介して、表面シート１１０と裏面シート１５０との間に設けられる吸収体１４０により吸収される。ここで、ペットにより排泄される尿とは、ペットの排泄物（屎尿）の一例であって、ペットの排泄物には、唾液や経血等の体液が含まれる。
【００１９】
ペット用吸収性シート１において載置箇所と接する裏面シート１５０側の面を載置面１Ｂという。ペット用吸収性シート１において排泄される尿を受ける表面シート１１０側の面を排泄面１Ａという。
【００２０】
図１に示すように本実施形態におけるペット用吸収性シート１は、長方形のシートである。ペット用吸収性シート１は、長方形の長辺に平行な方向である長手方向Ｌと、短辺に平行な方向（長手方向Ｌに垂直な方向）である幅方向Ｗとを有する。なお、本実施形態におけるペット用吸収性シート１は、長方形に限らず正方形であってもよい。さらに、ペット用吸収性シート１は、円形、楕円形又は多角形のシートであってもよい。
【００２１】
表面シート１１０は、液透過性のシートであり、熱可塑性繊維製の不織布によって構成される。表面シート１１０には、例えば、熱可塑性長繊維（親水ポリプロピレン繊維）からなるスパンボンド不織布、親水ポリオレフィン・ポリエチレン繊維による不織布、熱可塑性短繊維からなるエアスルー不織布、ポイントボンド不織布、ＳＭＳ、又は開孔フィルム等が用いられる。表面シート１１０に熱可塑性長繊維からなるスパンボンド不織布が用いられる場合、目付は８−２０ｇ／ｍ２である。表面シート１１０に親水ポリオレフィン・ポリエチレン繊維による不織布が用いられる場合、目付は２０−３０ｇ／ｍ２である。なお、表面シート１１０に香料成分が付着されてもよい。
【００２２】
表面シート１１０は、吸収体１４０の排泄面１Ａ側を覆う。表面シート１１０は、吸収体１４０の全面を覆っている。本実施形態において、ペット用吸収性シート１の平面視において吸収体１４０と表面シート１１０とが重なる領域、すなわち、吸収体長手端部１４０Ａと吸収体幅端部１４０Ｂとに囲まれた領域を重畳領域１２という。
【００２３】
表面シート１１０とティッシュ１３０とは、接合部１２０により接合される。接合部１２０は、表面シート１１０とティッシュ１３０とを、ホットメルト接着剤（ＨＭＡ：Ｈｏｔ  Ｍｅｌｔｉｎｇ  Ａｄｈｅｓｉｖｅ）によって接合された部分である。この接着剤の塗工には、カーテンスプレー塗工が施されることが好ましい。このカーテンスプレー塗工は、ホットメルト接着剤による細い繊維を吐出し、均一に塗布するものである。
【００２４】
ティッシュ１３０は、表面シート１１０と吸収体１４０との間に設けられ、平面視において吸収体１４０を覆うシートである。図２の例では、ティッシュ１３０は、平面視における吸収体１４０の面積と同じ面積のシートであって、吸収体１４０の排泄面１Ａ側に設けられている。ティッシュ１３０は、例えば、針葉樹晒クラフトパルプ（ＮＢＫＰ）を原料として形成される。ＮＢＫＰを原料として形成されたティッシュ１３０の目付は１２−１５ｇ／ｍ２である。
【００２５】
吸収体１４０は、表面シート１１０（ティッシュ１３０）と裏面シート１５０との間に設けられる。吸収体１４０は、コア層１４１と高吸水性ポリマー層１４２とを含む。吸収体１４０は、長手方向Ｌの外側における端部である１対の吸収体長手端部１４０Ａと、幅方向Ｗの外側における端部である１対の吸収体幅端部１４０Ｂとを有する。
【００２６】
吸収体１４０に含まれるコア層１４１は、粒子状や繊維状の高吸水性ポリマー（ＳＡＰ）とフラッフパルプとの混合物や、粒子状や繊維状の高吸水性ポリマーとフラッフパルプと熱可塑性剛性樹脂繊維との混合物により形成される。コア層１４１に含まれるＳＡＰの目付は９−５０ｇ／ｍ２である。コア層１４１に含まれるパルプは、フラッフパルプを目付２５−１４０ｇ／ｍ２に均一に積層して形成される。
【００２７】
吸収体１４０に含まれる高吸水性ポリマー層１４２は、コア層１４１の排泄面１Ａ側で高吸水性ポリマーを分散させることにより形成される。高吸水性ポリマー層１４２に含まれるＳＡＰの目付は９−６０ｇ／ｍ２である。
【００２８】
裏面シート１５０は、液不透過性のシートであり、樹脂フィルムシートによって構成される。裏面シート１５０は、例えば、ポリエチレン、ポリプロピレン、ポリエチレンテレフタレート等のフィルムが用いられる。裏面シート１５０にポリエチレンのフィルムが用いられる場合、目付は１７−１８ｇ／ｍ２である。
【００２９】
有色領域１０は、ペット用吸収性シート１は、排泄面１Ａ側から視認可能であり、平面視における範囲が少なくとも重畳領域１２を含む領域であって、かつ、色を有する領域である。すなわち、有色領域１０は、排泄面１Ａ側から視認可能である領域であれば、有色領域１０が構成される部位は、表面シート１１０であってもティッシュ１３０であってもよい。本実施形態において「色を有する」とは、Ｌ＊ａ＊ｂ表色系のＬ＊値が８０未満であること、すなわち、「白色ではない色を有する」ことをいう。有色領域１０は、図柄１１の背景の領域である。すなわち、有色領域１０は、使用者が図柄１１と背景（有色領域１０）とを区別できるような構成であればよい。したがって、有色領域１０は、１色に限らず、例えば、色の濃度や色調、光沢がある規則性によって変化するようなグラデーションであっても、ストライプやドット等の背景柄であってもよい。図１の例における有色領域１０は、平面視における範囲が重畳領域１２と同じ領域である。有色領域１０の範囲は、有色領域１０の色と平面視における有色領域１０の外側の領域の色との境界内である。
【００３０】
図１に示すペット用吸収性シート１は、排泄面１Ａ側から視認可能であり、平面視において有色領域１０内に配置される複数の種類の図柄１１（１１Ａ、１１Ｂ、１１Ｃ、１１Ｄ、１１Ｅ、１１Ｆ、１１Ｇ、１１Ｈ、１１Ｉ）を有する。ここで、形状が異なる図柄１１同士は、異なる種類の図柄１１に属するものとする。また、形状が同一の図柄１１同士であっても、異なる大きさであったり異なる色が付されていたりした場合には、かかる図柄１１同士は、異なる種類の図柄１１に属するものとする。図柄１１は、有色領域１０と異なる色を有する。本実施形態のペット用吸収性シート１では、排泄面１Ａ側から視認可能な色が３色以上であるように構成される。すなわち、有色領域１０及び図柄１１の色の数が排泄面１Ａ側から３色以上視認可能であるように構成されている。なお、図柄１１の色の数は、２色以上であることが好ましい。ここで、本実施形態における異なる色とは、色相、彩度及び明度のうち少なくともいずれかが異なることをいい、使用者が異なる色と認識すればよい。なお、例えば、有色領域１０の色と各図柄１１の色との差は、ＪＩＳ−Ｚ−８７２９に規定する「Ｌ＊ａ＊ｂ＊表色系」におけるＬ値が５以上であることが好ましい。
【００３１】
なお、図２に示すように、本実施形態におけるペット用吸収性シート１では、図柄１１は、表面シート１１０に表示されている。また、有色領域１０は、表面シート１１０に設けられている。具体的には、本実施形態における表面シート１１０には、図柄１１が表示されたカラー不織布が用いられる。
【００３２】
本実施形態におけるペット用吸収性シート１が備える上記構成により、ペット用吸収性シート１に排泄された尿の跡を、白色を含む単色で構成されたペット用吸収性シート１に比べ、有色領域１０及び有色領域１０の色と異なりかつ少なくとも２色以上の図柄１１に紛れて目立たなくすることができる。
【００３３】
例えば、単色の有色領域１０のみを有するペット用吸収シート１において尿の跡が付着すると、尿の跡が有色領域１０の色と異なるため、有色領域１０の単色と尿の跡の２色が示される。よって、使用者は、尿の跡を把握し易く、視覚的な不快を感じたり、未使用の部分があるにも関わらず新たなペット用吸収性シートに交換したりする。しかし、本実施形態におけるペット用吸収性シート１には、有色領域１０の色と、少なくとも２色の図柄１１の色とが示される。すなわち、本実施形態におけるペット用吸収性シート１は、少なくとも３つの色を有する。よって、ペット用吸収性シート１に尿の跡が形成された場合においても、尿の跡の色が有色領域１０等の３色と混じり、尿の跡が目立ちにくくなる。
【００３４】
かかる成果について検証するために、以下のような実験を行った。かかる実験では、１１名の被験者に、以下の４つのサンプルの中から最も黄色（尿の色）が目立つものと目立たないものを選んで貰った。
＜サンプル１＞  有色領域１０を白色、図柄１１の色を１色とした画像
＜サンプル２＞  有色領域１０を白色、図柄１１の色を２色とした画像
＜サンプル３＞  有色領域１０の色を１色、図柄１１の色を１色とした画像
＜サンプル４＞  有色領域１０の色を１色、図柄１１の色を２色とした画像
そして、全ての画像の中央部分に、円形形状の黄色の領域を設けた。その結果、サンプル１において黄色の領域が最も目立つと判断され、サンプル４において黄色が最も目立たないと判断された。なお、サンプル２よりもサンプル３の方において黄色の領域がより目立たないと判断された。
【００３５】
また、図１及び図３に示すように、ペット用吸収性シート１における有色領域１０は、重畳領域１２と同じ範囲に設けられている。裏面シート１５０は、平面視において有色領域１０よりも外側に延出している。有色領域１０の色は、裏面シート１５０の色と異なるように構成されている。
【００３６】
これにより、使用者は、平面視でペット用吸収性シート１において吸収体１４０が配置されている領域（重畳領域１２）、すなわち、尿が吸収される部分を容易に把握することができる。したがって、使用者は、ペットがペット用吸収性シート１において複数回の排尿を行うことにより、ペット用吸収性シート１において吸収体１４０が配置されている領域の外側に向かって尿が漏れたり、吸収体１４０が配置されている領域の外側で尿が排泄されたりしたことを容易に把握し、ペット用吸収性シート１を交換する時期を知ることができる。
【００３７】
図３は、本実施形態におけるペット用吸収性シート１の他の例を示す斜視図である。
【００３８】
図３に示すペット用吸収性シート１における有色領域１０は、平面視における範囲が重畳領域１２と同じ領域、すなわち、吸収体長手端部１４０Ａと吸収体幅端部１４０Ｂとに囲まれた領域である。
【００３９】
図３に示すペット用吸収性シート１は、排泄面１Ａ側から視認可能であり、平面視において有色領域１０内に配置される複数の種類の図柄１１（１１Ｊ、１１Ｋ、１１Ｌ、１１Ｍ、１１Ｎ、１１Ｏ、１１Ｐ、１１Ｑ、１１Ｒ）を有する。図柄１１は、有色領域１０と異なる色を有する。
【００４０】
図３に示すペット用吸収性シート１のその他の構成は、図１に示すペット用吸収性シート１の構成と同じである。
【００４１】
以下、本発明の実施形態の変形例（第１〜３の変形例）を、図４〜６を用いて説明する。第１〜３の変形例及び上述した本実施形態は、それぞれ有色領域１０と図柄１１とが設けられる部位が異なる。
【００４２】
(第１の変形例)
図４は、本実施形態の第１の変形例におけるペット用吸収性シート１の断面図である。
【００４３】
第１の変形例におけるペット用吸収性シート１では、図柄１１は、ティッシュ１３０に表示されている。また、有色領域１０は、表面シート１１０に設けられている。具体的には、本実施形態の第１の変形例における表面シート１１０には、カラー不織布が用いられ、ティッシュ１３０には図柄１１が表示されたティッシュが用いられる。第１の変形例においては、有色領域１０が設けられている表面シート１１０を介して、ティッシュ１３０に表示された図柄１１が排泄面１Ａ側から視認可能なように構成されている。すなわち、第１の変形例において、図柄１１は、有色領域１０内に配置されている。
【００４４】
第１の変形例において上記以外の構成については、図２に示した本実施形態の構成と同じであり、その説明を省略する。
【００４５】
(第２の変形例)
図５は、本実施形態の第２の変形例におけるペット用吸収性シート１の断面図である。
【００４６】
第２の変形例におけるペット用吸収性シート１では、図柄１１は、表面シート１１０に表示されている。また、有色領域１０は、ティッシュ１３０に設けられている。具体的には、本実施形態の第２の変形例における表面シート１１０には、図柄が表示されたエアスルー不織布が用いられ、ティッシュ１３０には色が全体に着色されたカラーティッシュが用いられる。
【００４７】
第２の変形例において上記以外の構成については、図２に示した本実施形態の構成と同じであり、その説明を省略する。
【００４８】
(第３の変形例)
図６は、本実施形態の第３の変形例におけるペット用吸収性シート１の断面図である。
【００４９】
第３の変形例におけるペット用吸収性シート１では、図柄１１は、ティッシュ１３０に表示されている。また、有色領域１０は、ティッシュ１３０に設けられている。具体的には、第３の変形例における表面シート１１０には、エアスルー不織布が用いられ、ティッシュ１３０には図柄１１が表示され、かつ、色が全体に着色されたカラーティッシュが用いられる。
【００５０】
本実施形態の第３の変形例において上記以外の構成については、図２に示した本実施形態の構成と同じであり、その説明を省略する。
【００５１】
上述した本実施形態及び第１〜３の変形例のように、図柄１１は、表面シート１１０及び吸収体１４０を覆うシート（ティッシュ１３０）の排泄面１Ａ側のうちいずれかに表示される。また、有色領域１０は、表面シート１１０及び吸収体１４０を覆うシート（ティッシュ１３０）の排泄面１Ａ側のうちいずれかに設けられる。
(図柄の構成)
次に、本発明の実施形態における図柄１１の構成を図１−２及び図７に基づき詳細に説明する。
【００５２】
図７は、本発明の実施形態におけるペット用吸収性シートの図柄１１を説明するための図である。図７は、図２に示したペット用吸収性シート１の有色領域１０内の図柄１１を一部示した図である。
【００５３】
本実施形態における図柄１１の形状は、例えば図１の図柄１１Ａ〜１１Ｉや図２の図柄１１Ｊ、１１Ｌ、１１Ｍ、１１Ｏ〜１１Ｒのように外縁が丸みを帯びた花びらである。また、図柄１１の他の形状は、例えば図２の図柄１１Ｋ、１１Ｎのように、図柄の中央に犬又は猫が表示された外縁が丸みを帯びた装飾の図柄である。
【００５４】
本実施形態における図柄１１の形状は、図７に示す図柄１１Ｓのように、図柄１１Ｓの外縁上に位置する複数の頂点のうち隣接する任意の２点を延ばした仮想線における図柄１１Ｓの寸法（第１の寸法）ｍと仮想線の直交方向の図柄１１Ｓの寸法（第２の寸法）ｎのうち長い方の寸法に対する短い方の寸法の比率が４７％以上となるように構成される。すなわち、本実施形態における図柄１１Ｓの形状は、上述の複数の頂点のうちの任意の２点を延ばした仮想線における図柄１１Ｓの寸法ｍと仮想線の直交方向の図柄１１Ｓの寸法ｎのうち長い方の寸法に対する短い方の寸法の比率が４７％以上となるように構成されていてもよい。具体的には、寸法ｍは、仮想線に直交し図柄１１Ｓに交わる直線のうち、２つの直線間の距離が最大となる仮想線と平行な方向における長さである。寸法ｎは、仮想線に直交する直線と図柄１１Ｓとの交点との距離が最大となる長さである。また、図７に示す図柄１１Ｔにおける寸法ｐ、ｑは、それぞれ図柄１１Ｓにおける寸法ｍ、ｎに対応する。寸法ｐ、ｑのうち長い方の寸法に対する短い方の寸法の比率が４７％以上となるように構成される。また、図柄１１の他の形状は、円形状又は楕円形状であってもよい。
【００５５】
このような本実施形態の図柄１１の形状により、一般に円形状又は楕円形状となる尿の跡と図柄１１とが紛れ、尿の跡を目立ちにくくすることができる。例えば、ペット用吸収性シート１に表示されている図柄１１が三角形のような鋭角を有する形状の場合、ペット用吸収性シート１上に形成される円形又は楕円形の丸みを帯びた尿の跡と対照的な鋭角を有する図柄１１とのコントラストが際立ち、尿の跡が目立ってしまう。
【００５６】
一般的に、ペットによって排出された尿の跡において、外縁上に位置する複数の頂点のうち隣接する任意の２点を延ばした仮想線における尿の跡の寸法と仮想線の直交方向の尿の跡の寸法のうち長い方の寸法に対する短い方の寸法の比率が４７％以上となることが知られている。
【００５７】
かかる事実を証明するために、以下の測定試験を行った。
【００５８】
第1に、４５°の傾斜が付いた板状に、ペット用吸収性シートを配置した。
【００５９】
第２に、かかるペット用吸収性シートよりも１０ｃｍ上方から、２０ｃｃの尿を滴下した。
【００６０】
第３に、滴下後、２分経過した後、かかる尿のペット用吸収性シートにおける拡散面積の長辺の寸法に対する短辺の寸法の比率は、全て４７％以上となった（サンプル数１０）。
【００６１】
ここで、犬等のペットによって排出された尿は、傾斜を付けてペット用吸収シートに摘果され、その傾斜角度が約４５°と想定されるため、上述のように状況下にて測定試験を行った。
【００６２】
このことから、上述のように、本実施形態の図柄１１の形状により、尿の跡の形状と図柄１１の形状とが紛れ、尿の跡を目立ちにくくすることができることが分かる。
【００６３】
また、本実施形態の複数の種類の図柄１１のうち最も大きい種類の図柄１１の両端を結んだ最も長い線分の長さが２０ｍｍ以上であるように構成される。最も大きい種類の図柄１１とは、図柄１１の外縁上に位置する複数の頂点のうち隣接する頂点を結んだ多角形の面積が最大である種類の図柄である。なお、図柄１１が円形状又は楕円形状の場合は、円又は楕円の面積に基づき図柄１１の大きさが定められる。具体的には、図２の例では、図柄１１Ｋが最も大きい種類の図柄１１に相当する。図柄１１の両端とは、図柄１１の中心を通りかつ図柄１１の外縁上に位置する複数の頂点を結んだ線分が最大の長さである。図柄１１の両端を結んだ最も長い線分は、図７に示す長さｍである。
【００６４】
ここで、ペット用吸収性シート１上で排泄された尿の量が微量（例えば、ペットの残尿時であれば、５０μｌ程度）であったとしても、尿は、ペット用吸収性シート１上で拡散され、尿の跡となる。５０μｌの量の尿が、表面シート１１０に滴下された場合、例えば、スパンボンド不織布の表面シート１１０の親水性によって尿の跡の両端を結んだ線分の長さ２０ｍｍ程度まで拡散する。
【００６５】
このように、複数の種類の図柄１１のうち最も大きい種類の図柄１１の両端を結んだ最も長い線分の長さを、ペットにより排泄された尿がペット用吸収性シート１上で拡散し得る最小の長さ２０ｍｍよりも大きくすることにより、図柄１１が尿の跡より視認されやすくなるため、尿の跡を目立ちにくくすることができる。
【００６６】
なお、図柄１１の両端を結んだ最も長い線分は、２０ｍｍ以上に限らず、例えば、ペットの種類に応じた排泄される尿の量に基づく長さ以上、例えば、１０ｍｍ以上としたり、３０ｍｍ以上としたりしてもよい。
【００６７】
また、本実施形態の複数の種類の図柄１１のうち最も大きい種類の図柄１１の両端を結んだ最も長い線分の長さが２３０ｍｍ未満であるように構成される。すなわち、図７に示す長さｍは２３０ｍｍ未満である。例えば排泄される尿の量の多い犬において、ペット用吸収性シート１上で拡散し得る最大の長さが２３０ｍｍ程度である。
【００６８】
なお、図柄１１の両端を結んだ最も長い線分は、２３０ｍｍ未満に限らず、例えば、ペットの種類に応じた排泄される尿の量に基づく長さ未満、例えば１００ｍｍ未満としたり、３００ｍｍ未満としたりしてもよい。
【００６９】
また、本実施形態における図柄１１は、図１及び図２に示されるように、有色領域１０内に不規則に配置される。ここで、本実施形態における「不規則」とは、ペット用吸収性シート１において任意の領域に含まれる図柄１１の種類及び配置場所が、ペット用吸収性シート１において繰り返し表示されないことをいう。不規則とは、例えば、図柄１１の中心が同一直線上にない場合や図柄１１同士の間隔が異なる場合である。
【００７０】
ペットは濡れた場所での排泄をきらう習性があるため、ペット用吸収性シート１上で尿の跡がない位置で排泄を行う傾向があり、ペットが排泄する位置も不規則である。したがって、ペット用吸収性シート１上での尿の跡が不規則に残ってしまう。ペット用吸収性シート１における図柄が規則的に配置されると、ペットが排泄する位置の不規則性と図柄の規則性とが混在し、尿の跡が際立ってしまう。そこで、ペット用吸収性シート１における図柄１１を不規則に配置することで尿の跡を目立たなくするといった効果を奏する。
【００７１】
また、図柄１１の色の数は、少なくとも２以上である。図柄１１の色は、図柄１１の種類に応じて異なるように構成してもよいし、図柄１１の大きさに応じて異なるように構成してもよいし、同じ大きさであって同じ種類の図柄１１が複数あり、当該複数の図柄１１がそれぞれ異なるように構成してもよい。具体的には、複数の第１図柄（例えば、花柄）と、第１図柄と異なる図柄の複数の第２図柄（例えば、星柄）とを有する場合には、全ての第１図柄が第１色で着色され、全ての第２図柄が第２色で着色される構成や、複数の第１図柄のうち一部の第１図柄と複数の第２図柄のうち一部の第２図柄とが、第１色で着色され、複数の第１図柄のうち他の第１図柄と複数の第２図柄のうち他の第２図柄とが、第２色で着色される構成を例示できる。
【００７２】
また、図７に示すように、例えば、図３の図柄１１Ｋ、１１Ｎに対応する図柄１１のように、本実施形態における図柄１１において、平面視における内側の色が有色領域１０の色と同じである場合、内側に他の図柄１１が存在するように構成してもよい。
【００７３】
これにより、図柄１１の内側の色が有色領域の色と同じである図柄１１の内側に排泄された尿の跡を目立たなくすることができる。また、図柄１１の内側に尿が排泄されたとしても、図柄１１のデザイン性が損なわれづらくすることができる。
【００７４】
また、図１及び図３に示すように、本実施形態における図柄１１は重畳領域１２内にのみ配置され、図柄１１のうち少なくともいずれかが重畳領域１２を形成する各辺において途切れているように構成されてもよい。具体的には、図１及び図３の例のように、吸収体長手端部１４０Ａ、１４０Ｂを形成する各辺において、重畳領域１２内の図柄１１の一部が途切れて表示されている。ここで、本実施形態において図柄１１の一部が途切れて表示途切れている状態とは、図柄１１の全体が表示されず、一部のみが表示されている状態である。
【００７５】
このように重畳領域１２を形成する各辺において、図柄１１が途切れているため、使用者は、吸収体１４０と重なる領域（重畳領域１２）、すなわち尿が吸収される部分を容易に視認することができる。これにより、使用者は、ペット用吸収性シート１において吸収体１４０が配置されている領域の外側に向かって尿が漏れたり、吸収体１４０が配置されている領域の外側で尿が排泄されたりしたことを容易に把握し、ペット用吸収性シート１を交換する目安を知ることができる。
【００７６】
また、本実施形態における複数の種類の図柄１１のそれぞれは、異なる大きさであってもよい。
【００７７】
このように、複数の種類の図柄１１のそれぞれの大きさが異なるようにすることにより、排泄毎に排泄される尿の量が変化した場合であっても、大きさが異なる図柄１１と大きさが異なる尿の跡とが紛れて、尿の跡を目立ちにくくすることができる。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の範囲を逸脱することなく修正及び変更態様として実施することができる。従って、本明細書の記載は、例示説明を目的とするものであり、本発明に対して何ら制限的な意味を有するものではない。
【符号の説明】
【００７９】
１        ペット用吸収性シート
１Ａ      排泄面
１Ｂ      載置面
１０      有色領域
１１      図柄
１２      重畳領域
１１０    表面シート
１２０    接合部
１３０    ティッシュ
１４０    吸収体
１４０Ａ  吸収体長手端部
１４０Ｂ  吸収体幅端部
１４１    コア層
１４２    高吸水性ポリマー層
１５０    裏面シート
Ｌ        長手方向
Ｗ        幅方向
【図１】
0006396206.tif 000002
【図２】
0006396206.tif 000003
【図３】
0006396206.tif 000004
【図４】
0006396206.tif 000005
【図５】
0006396206.tif 000006
【図６】
0006396206.tif 000007
【図７】
0006396206.tif 000008